(57)【要約】      （修正有）【課題】汎用品で、モジュラージャックの防塵構造を提供する。【解決手段】モジュラープラグ１に装着する防塵用ブッシュ１０に切り込みを設け、その切り込みを広げてモジュラープラグ１へ装着することで、市販のケーブル１２への装着を容易にする。また、この防塵用ブッシュ１０の周囲に突部を形成する。一方、モジュラージャックの挿入口２５に防塵カバー１１を装着する。防塵カバー１１は、前記ジャックの挿入口２５に貫通する嵌入孔２６を設けて、その嵌入孔２６の開口２２ａ、ｂ、ｃを外向きに傾斜したテーパー面２９とする。このように、開口２２ａ、ｂ、ｃを広げることで、前記プラグ１の取り付けを容易にする。このとき、テーパー面２９と前記ブッシュ１０間の隙間は前記ブッシュ１０の突部で塞ぐことで密封する。【選択図】図１
2010086766.tif 000002
【特許請求の範囲】
【請求項１】
モジュラープラグに装着する防塵用ブッシュと、前記プラグを接続するモジュラージャックの挿入口が設けられた機器またはパネル面に装着する防塵カバーとで構成され、
前記防塵カバーは、機器またはパネル面に対して防塵用ブッシュを保持する厚みを有するホルダー部を備え、そのホルダー部に防塵用ブッシュを嵌合する開口を設けて、前記開口をモジュラージャックの挿入口に貫通する嵌入孔とし、かつ、その嵌入孔の開口を外向きに傾斜したテーパー面とし、
一方、防塵用ブッシュは、弾性体で形成し、モジュラープラグに装着して、前記プラグの後方部分を被って先端のモジュラージャックとの接続部を露出させるとともに、前記ブッシュの周囲に突部を形成し、
前記機器またはパネル面に装着した防塵カバーの嵌入孔に、防塵用ブッシュを装着したモジュラープラグを嵌入し、嵌入した前記プラグ先端の接続部をモジュラージャックに接続した際に、防塵用ブッシュの周囲に形成した突部が前記ブッシュと開口のテーパー面との間の隙間を塞ぐようにしたモジュラージャックの防塵構造。
【請求項２】
上記防塵用ブッシュのモジュラープラグのロック爪を被う部分をロック爪の浮き上がりに対応させて突出させた形状に形成して押圧部を形成し、
一方、防塵カバーの嵌入孔の側面を切り欠いて、前記ブッシュを嵌入孔に嵌入した際に、前記ブッシュの押圧部が嵌入孔の側面に形成した前記切り欠きに嵌合するようにした請求項１に記載のモジュラージャックの防塵構造。
【請求項３】
上記防塵用ブッシュの前後方向に切り込みを設け、その切り込みを広げてモジュラープラグへの装着ができるようにした請求項１または２に記載のモジュラージャックの防塵構造。
【請求項４】
上記防塵用ブッシュの切り込みをモジュラープラグのロック爪と対向する側に設け、前記切り込みを広げてモジュラープラグへの前記ブッシュの装着ができるようにした請求項２または３に記載のモジュラージャックの防塵構造。
【発明の詳細な説明】
【技術分野】
【０００１】
この発明は、モジュラージャック内への埃の侵入を防ぐためのモジュラージャックの防塵構造に関するものである。
【背景技術】
【０００２】
ＬＡＮケーブルや電話ケーブルなどを接続するモジュラージャック（コネクタとも称す）は、挿入口が大きく塵埃が侵入しやすいため、侵入した異物や塵埃がモジュラージャック内部のコンタクトに接触して短絡事故を起こすことが想定される。そのため、ケーブルを接続中のモジュラージャックも塵埃が侵入しないように密封する必要がある。
【０００３】
このようなモジュラージャックの問題を解決する密封方法の一つとして、例えば、（特許文献１）に、ゴム製あるいは合成樹脂性のモジュラープラグカバーを使用したモジュラージャックの防水装置が記載されている。
【０００４】
すなわち、このプラグカバーは、図８に示すように、モジュラープラグ１と嵌合する内壁２と筐体３の内壁４と嵌合する外壁５とからなり、前記外壁５の下部には、モジュラープラグ１のロック爪６をカバーする延長部７を形成した構造となっている。
【０００５】
一方、筐体３のモジュラープラグ１の挿入口８は、図８のように、周囲に遮蔽壁９（符合９´は、ロック爪６を解除するための切り欠き）を突出させた形状となっている。そして、モジュラープラグ１を前記挿入口８へ装着すると、挿入口８の遮蔽壁９とプラグカバーの外壁５が接する（切り欠き部分９´は延長部７が接するようになっている）。実際には、外壁５の周囲に形成した突部５´が当接することにより、水の筐体３内への浸入を防ぐというものである。
【特許文献１】特開平０８−７９０９９号公報
【発明の開示】
【発明が解決しようとする課題】
【０００６】
しかしながら、上記の防水装置では、プラグカバーの外寸は、挿入口よりも僅かに大きいのでモジュラープラグを挿入しづらい問題がある。
【０００７】
さらに、上記防水装置は、汎用品を使えない問題もある。すなわち、プラグカバーは、ケーブルに挿通して取り付ける構造である。そのため、モジュラープラグを取り付ける前に挿入しておく必要がある。したがって、市販の汎用のケーブル（両端にモジュラープラグを取り付けたもの）を使用することができない問題があった。その結果、ケーブルは機器ごとに製作するか、予め決められた長さのケーブルを準備して使用しなければならず、汎用品が使えない。また、筐体のモジュラージャックには、挿入口の周囲に突出した遮蔽壁を設け、プラグカバーの突部と接触させることで、密封状態を形成する。そのため、突出（厚み）した遮蔽壁が必要である。したがって、機器面やパネル面に挿入口を設けただけの形状では密封できず、遮蔽壁を設けなければならないため、汎用品をそのままの状態で使えない問題があった。
【０００８】
そこで、この発明の課題は、モジュラージャックの取り付けが簡単にできるようにすることで使い勝手を良くすることである。また、汎用品が使えるようにすることで、簡単に防塵構造が得られるようにして、使い勝手を良くすることである。
なお、汎用品が使えるようにするためとは、具体的に、ケーブルは市販のものを使用してモジュラージャックの防塵が行えるようにする。一方、モジュラージャックは、挿入口の周囲に遮蔽壁を形成することなく汎用品のモジュラージャックの防塵ができるようにすることである。
【課題を解決するための手段】
【０００９】
上記の課題を解決するため、この発明では、モジュラープラグに装着する防塵用ブッシュと、前記プラグを接続するモジュラージャックの挿入口が設けられた機器またはパネル面に装着する防塵カバーとで構成され、前記防塵カバーは、機器またはパネル面に対して防塵用ブッシュを保持する厚みを有するホルダー部を備え、そのホルダー部に防塵用ブッシュを嵌合する開口を設けて、前記開口をモジュラージャックの挿入口に貫通する嵌入孔とし、かつ、その嵌入孔の開口を外向きに傾斜したテーパー面とし、一方、防塵用ブッシュは、弾性体で形成し、モジュラープラグに装着して、前記プラグの後方部分を被って先端のモジュラージャックとの接続部を露出させるとともに、前記ブッシュの周囲に突部を形成し、前記機器またはパネル面に装着した防塵カバーの嵌入孔に、防塵用ブッシュを装着したモジュラープラグを嵌入し、嵌入した前記プラグ先端の接続部をモジュラージャックに接続した際に、防塵用ブッシュの周囲に形成した突部が前記ブッシュと開口のテーパー面との間の隙間を塞ぐようにした構成を採用したのである。
【００１０】
このような構成を採用することにより、防塵用カバーを機器またはパネル面に設けたモジュラージャックの挿入口が設けられた面に装着する。一方、モジュラープラグに防塵用ブッシュを装着する。そして、前記ブッシュを装着したモジュラープラグを防塵用カバーの嵌入孔へ嵌入する。すると、防塵用ブッシュから露出させたモジュラープラグの先端の接続部（接触端子など）がモジュラージャックの挿入口内に侵入して中の端子と接続する。その際、防塵カバーの開口に外向きに傾斜したテーパー面を形成して開口を広げたので、防塵用ブッシュの嵌入が容易にできる。このとき、テーパー面と防塵用ブッシュにより形成される隙間は防塵カバーに設けた突部で塞ぐことで密封する。また、防塵カバーは、防塵用ブッシュを保持する厚みを有し、その厚みを有する嵌入孔に、弾性体で形成された防塵用ブッシュを嵌合することで、前記プラグを嵌入孔に係合させて支持する。このように防塵カバーをモジュラージャックの挿入口に装着し、市販のケーブルに防塵用ブッシュを装着するだけで、汎用のモジュラージャックを密封できる。
【００１１】
このとき、上記防塵用ブッシュのモジュラープラグのロック爪を被う部分をロック爪の浮き上がりに対応させて突出させた形状に形成して押圧部を形成し、一方、防塵カバーの嵌入孔の側面を切り欠いて、前記ブッシュを嵌入孔に嵌入した際に、前記ブッシュの押圧部が嵌入孔の側面に形成した前記切り欠きに嵌合するようにした構成を採用することができる。
【００１２】
このような構成を採用することにより、防塵カバーの切欠から臨む防塵用ブッシュの押圧部を押すことで、モジュラープラグのロック爪を解除してモジュラープラグを外すことができる。
【００１３】
また、このとき、上記防塵用ブッシュの前後方向に切り込みを設け、その切り込みを広げてモジュラープラグへの装着ができるようにした構成を採用することができる。
【００１４】
このような構成を採用することにより、このとき、防塵用ブッシュの切り込みを広げてモジュラープラグへの装着ができるので、両端にモジュラープラグを取り付けた市販のケーブルに装着できる。
【００１５】
また、このとき、上記防塵用ブッシュの切り込みをモジュラープラグのロック爪と対向する側に設け、前記切り込みを広げてモジュラープラグへの前記ブッシュの装着ができるようにした構成を採用することができる。
【００１６】
このように、防塵用ブッシュのロック爪と対向する側に切り込みを設けたので、前記切り込みが防塵カバーの切欠き側に位置して外部に曝されることはなく、防塵カバーで被われるので、密封状態を保持できる。
【発明の効果】
【００１７】
この発明は、上記のように構成したことにより、防塵仕様でないモジュラージャックに防塵構造を簡単に付与できる。その際、モジュラージャックの取り付けが簡単にできるので使い勝手を良くすることができる。また、市販のケーブルを使って防塵構造を付与できる。そのため、ケーブルは機器に合わせて選択すればよいので汎用品が使用できる。さらに、防塵カバーを装着する構造のため、いろいろなモジュラージャックに対応することができるので、例えば、無線機から電話やパソコンなどの家電品にまで応用できる。
【発明を実施するための最良の形態】
【００１８】
以下、この発明を実施するための最良の形態を図面に基づいて説明する。
【００１９】
図１に示すように、この形態のモジュラージャックの防塵構造は、モジュラープラグ側に装着する防塵用ブッシュ１０と機器（パネル）側に装着する防塵カバー１１とで構成されている。
【００２０】
防塵用ブッシュ１０は、弾性ゴムや弾性プラスチック樹脂などの弾性体で形成したもので、図２（ａ）に示すように、立方体に形成したモジュラープラグ１の収容部に、円錐形のケーブル収容部を取り付けた形状をしており、モジュラープラグ１とケーブル１２との接合部分に装着する。このように装着した防塵用ブッシュ１０は、図２（ａ）、（ｂ）のように、ケーブル１２と前記プラグ１の後方部分を被ってモジュラープラグ１の先端部分を露出する。この先端部分は、モジュラージャック２４との接続を行う部分で接触端子やロック爪６の係止部６´が設けられている。
【００２１】
また、防塵用ブッシュ１０は、前記ロック爪６に対応させて、図２（ａ）、（ｂ）のように、上部を突出させた形状に形成して隙間を設け、その隙間にロック爪６を収容するようにして押圧部１３を形成してある。
【００２２】
さらに、防塵用ブッシュ１０は、押圧部１３と対向する側に、図２（ａ）、（ｂ）では下面に、図３（ａ）、（ｂ）のように、前後方向に切り込み１４を設けてある。前記切り込み１４は下面の中央に設けてあって、後述するように、切り込みを広げてモジュラープラグ１（ケーブル１２を含む）への装着ができるようになっている。
【００２３】
この防塵用ブッシュ１０には、図２（ａ）（ｂ）のように、先端部分の内側に突起１５が設けてあって、抜け止としてモジュラープラグ１の凹部１６と係合させるようになっている。
【００２４】
一方、防塵カバー１１は、図１に示すように、ホルダー部２０と蓋体２１で構成されている。ホルダー部２０は、樹脂で形成した直方体に間隔をおいて開口（ここでは３個）２２ａ、ｂ、ｃを設け、その開口２２ａ、ｂ、ｃを設けた直方体の両サイドに、図４のように、ネジ止め用の取り付け部２３を形成した形状となっている。前記カバー１１（直方体）は、機器またはパネル面に対して前記防塵用ブッシュ１０を保持する厚みを有することで、モジュラープラグ１を保持するようにしてある。
【００２５】
また、前記カバー１１に設けた開口２２ａ、ｂ、ｃは、モジュラージャック２４の挿入口２５に貫通する嵌入孔２６となっており、前記防塵用ブッシュ１０を嵌め込むようになっている。そのため、嵌入孔２６の側面をＵ字形に切り欠いた切欠部２７を設け、防塵用ブッシュ１０の押圧部１３が嵌合するようにするとともに、図１のように、孔２６の上部に溝２８を設けてモジュラープラグ１のロック爪６が挿通できるようにしてある。
【００２６】
さらに、嵌入孔２６の開口２２ａ、ｂ、ｃは、図２（ａ）のように、外向きに広がって傾斜したテーパー面２９となっており、開口２２ａ、ｂ、ｃを広げて前記ブッシュ１０を嵌入し易くなっている。そのため、図２（ａ）、（ｂ）及び図３（ａ）、（ｂ）に示すように、防塵用ブッシュ１０は、前記防塵カバー１１の開口２２ａ、ｂ、ｃのテーパー面２９と対向する部分に（図では立方体の後端）、突部３０を形成して隙間を塞ぐことで密封できるようにしてある。
【００２７】
他方、防塵カバー１１の蓋体２１は、アース取りとして設けたもので、図１のように、金属板にネジ孔３１を設けてホルダー部２０とネジ止めするようになっている。また、蓋体２１には、貫通孔３２を設けてモジュラープラグ１を挿通できるようにしてある。ここで、貫通孔３２の両サイドの突片３３は、機器面に装着する際に挿入口２５に嵌めることで、挿通口２５と嵌入孔２６の位置を一致させるためのガイドであり、アース取りの役割も果たす。
なお、ここで、蓋体２１に金属板を用いたのは、例えば、蓋体２１を機器の金属製の筐体と（例えば、ネジを介して）接続することで、シールド効果を期待したものである。
【００２８】
この形態は、上記のように構成され、この発明の防塵構造では、両端にモジュラープラグ１の取り付けられた市販のケーブル（例えばＬＡＮケーブル）１２を使用することができる。
【００２９】
すなわち、図５（ａ）のように、防塵用ブッシュ１０は、切り込み１４を広げてモジュラープラグ１に装着する。このように切り込み１４を広げて装着するので、市販のモジュラープラグにも装着が簡単にできる。
【００３０】
一方、防塵カバー１１は、モジュラージャックの設けられた機器面に密着させて装着する。ここでは、図１のように、ネジ止めだと機器面にネジ孔を設けるだけで簡単に対応できる。
【００３１】
そして、図５（ｂ）のように、防塵用ブッシュ１０を装着したモジュラープラグ１を防塵カバー１１の嵌入孔２６に嵌入する。このとき、前記プラグ１の嵌入は、嵌入孔２６の開口２２ｃにテーパー面２９を形成して広くしてあり、ブッシュ１０が呼び込まれるので容易である。
また、図２（ｂ）のように、嵌入した前記プラグ１は、防塵用ブッシュ１０から露出したモジュラープラグ１の先端の接続部（接触端子など）がモジュラージャック２４内に侵入して中の端子と接続する。同時に、ロック爪６が係合して固定される。このとき、防塵カバー１１は、防塵用ブッシュ１０を保持する厚みを有し、弾性体で形成された防塵用ブッシュと係合して、図６のように、モジュラープラグ１を保持する。このとき、防塵用ブッシュ１０に設けた突部３０が開口２２ｃのテーパー面２９との隙間を塞いで密封する。また、このとき、防塵カバー１１内の防塵用ブッシュ１０は、図７（ａ）のように、嵌入孔２６によって周囲を保持される。そのため、切り込み１４は密着して開くことはない。例えば、図５（ｃ）のように、押圧部１３を押して取り外す場合も図７（ｂ）のように切り込み１４は開くことはなく、塵埃が侵入することもなく、取り外しもスムースにできる。
【００３２】
このように、防塵仕様でないモジュラージャック２４に防塵構造を付与できる。その際、両端にモジュラープラグ１を取り付けた市販の汎用ケーブル１２を使って防塵構造を構成できるので、安価である。このとき、ケーブル１２は先のように汎用品を使用できるので、機器に合わせて長さなどを汎用品の中から選択できる。また、防塵カバーを装着する構造のため、いろいろなモジュラージャックに対応することができるので、例えば、無線機から電話やパソコンなどの家電品にまで応用できる。
【００３３】
なお、実施形態では、機器の挿入口部分を凹設して防塵カバーを取り付けているが、これは高さを横のフィンと合わせるためで、凹設の有無は防塵効果を生じる構成とは関係はない。
【図面の簡単な説明】
【００３４】
【図１】実施形態の分解斜視図
【図２】（ａ）、（ｂ）実施形態の作用説明図
【図３】（ａ）、（ｂ）実施形態の作用説明図
【図４】実施形態の断面図
【図５】（ａ）、（ｂ）、（ｃ）実施形態の作用説明図
【図６】実施形態の斜視図
【図７】（ａ）、（ｂ）実施形態の作用説明図
【図８】従来例の断面図
【符号の説明】
【００３５】
１  モジュラープラグ
６  ロック爪
１０  防塵用ブッシュ
１１  防塵カバー
１２  ケーブル
１３  押圧部
１４  切り込み
２２ａ、ｂ、ｃ  開口
２４  モジュラージャック
２５  挿入口
２６  嵌入孔
２７  切欠部
２９  テーパー面
３０  突部
【図１】
2010086766.tif 000003
【図２】
2010086766.tif 000004
【図３】
2010086766.tif 000005
【図４】
2010086766.tif 000006
【図５】
2010086766.tif 000007
【図６】
2010086766.tif 000008
【図７】
2010086766.tif 000009
【図８】
2010086766.tif 000010